(57)【要約】【課題】第２の放送番組の存在をユーザに確実に提示する放送番組表示装置を提供する。【解決手段】本発明に係る放送番組表示装置１００は、第１の放送番組をディスプレイ５における第１の画面に表示するための処理を行なう親画面処理部２と、第２の放送番組をディスプレイ５における第２の画面に表示するための処理を行なう子画面処理部３と、ディスプレイ５の前方におけるユーザの存在を検知するセンサ７とを備える。センサ７がユーザの存在を検知した場合に、選局部６が選局しかつ子画面処理部３が処理した第２の放送番組を、合成処理部４が第１の放送番組に合成する。すなわち、放送番組表示装置１００は、ユーザがディスプレイ５の前方に存在するときに、第２の放送番組をディスプレイ５の第２画面に表示する。【選択図】図１
2011109626.tif 000002
【特許請求の範囲】
【請求項１】
互いに異なる第１の放送番組および第２の放送番組を受信して表示する放送番組表示装置であって、
上記第１の放送番組を、ディスプレイにおける第１の画面に表示する第１の表示手段と、
上記ディスプレイの前方におけるユーザの存在を検知するセンサと、
上記センサが上記ユーザの存在を検知した場合に、上記第１の画面に上記第１の放送番組が表示された上記ディスプレイにおいて、当該第１の画面よりも小さい第２の画面に、上記第２の放送番組を表示する第２の表示手段とを備えていることを特徴とする放送番組表示装置。
【請求項２】
上記第２の表示手段は、上記第２の放送番組を一定時間表示することを特徴とする請求項１に記載の放送番組表示装置。
【請求項３】
ユーザの好みの番組に関するお好み番組情報の入力を受け付ける設定手段と、
上記設定手段により受け付けられたお好み番組情報に基づいて、上記第２の放送番組を検索する検索手段とをさらに備え、
上記第２の表示手段は、上記検索手段により検索された上記第２の放送番組を表示することを特徴とする請求項１または２に記載の放送番組表示装置。
【請求項４】
上記センサは、上記ディスプレイの前方におけるユーザの顔認識情報を検知する機能を有し、
上記設定手段は、ユーザの顔認識情報と対応付けられた、当該ユーザの上記お好み番組情報の入力を受け付け、
上記検索手段は、上記センサがユーザの顔認識情報を検知した場合に、上記センサによって検知された当該顔認識情報に対応する上記お好み番組情報に基づいて、上記第２の放送番組を検索することを特徴とする請求項３に記載の放送番組表示装置。
【請求項５】
上記ディスプレイの電源が落とされた状態において、上記センサが上記ユーザの存在を検知した場合であって、かつ、現在時刻が上記検索手段により検索された上記第２の放送番組の放送時間帯にある場合に、上記ディスプレイの電源を入れる電源制御部をさらに備え、
上記第２の表示手段は、上記センサが上記ユーザの存在を検知した場合であって、かつ、現在時刻が上記検索手段により検索された上記第２の放送番組の放送時間帯にある場合、上記電源制御部が上記ディスプレイの電源を入れた場合に、上記第２の放送番組を表示することを特徴とする請求項３または４に記載の放送番組表示装置。
【請求項６】
上記センサは、上記ディスプレイの前方におけるユーザの、当該ディスプレイに対する位置を検出するユーザ位置検出機能をさらに有し、
上記第２の表示手段は、上記センサによって検出されたユーザ位置に基づいて、上記ディスプレイにおける上記第２の画面の位置および大きさを決定する、画面形態決定手段を備えることを特徴とする請求項１から５のいずれか１項に記載の放送番組表示装置。
【請求項７】
互いに異なる第１の放送番組および第２の放送番組を受信して表示する放送番組表示装置の制御方法であって、
上記第１の放送番組を、ディスプレイにおける第１の画面に表示する第１の表示工程と、
上記ディスプレイの前方におけるユーザの存在を検知する検知工程と、
上記検知工程において上記ユーザの存在が検知された場合に、上記第１の画面に上記第１の放送番組が表示されている上記ディスプレイにおける、上記第１の画面よりも小さい第２の画面に、上記第２の放送番組を表示する第２の表示工程とを備えていることを特徴とする放送番組表示装置の制御方法。
【請求項８】
請求項１から６のいずれか１項に記載の放送番組表示装置を動作させる放送番組表示プログラムであって、コンピュータを上記の各手段として機能させるための放送番組表示プログラム。
【請求項９】
請求項８に記載の放送番組表示プログラムを記録しているコンピュータ読み取り可能な記録媒体。
【発明の詳細な説明】
【技術分野】
【０００１】
本発明は、第１の放送番組が表示されたディスプレイに第２の放送番組を表示する放送番組表示装置およびその制御方法に関する。
【背景技術】
【０００２】
近年、放送技術の発展にともなって、放送受信機では、多数の放送番組の中からユーザの好みの番組などを検索し、検索した番組をユーザに提示する技術が求められている。このような中で、１つのディスプレイ上に互いに異なる放送番組を同時に表示する技術が開発されている。これにより、視聴中の放送番組を表示したまま、検索した放送番組を同時に表示することが可能になっている。
【０００３】
例えば、特許文献１では、予めユーザが登録した番組情報（ジャンルおよびタイトル等）に基づいて、ユーザの好みの「お好み番組」を自動で検索し、視聴中の放送番組を主画面に表示したまま、検索した番組を副画面に表示する技術が開示されている。ユーザは、副画面に表示された番組を選択することによって、お好み番組を容易に選択することができる。
【０００４】
また、特許文献２では、予めユーザのお好み番組を検索して登録しておき、チャンネル切り替えの際、チャンネル切り替えで表示された番組を第１の画面に、登録されたお好み番組を第２の画面に表示する技術が開示されている。
【先行技術文献】
【特許文献】
【０００５】
【特許文献１】特開２００５−２１７５８８号公報（２００５年８月１１日公開）
【特許文献２】特開２００８−１６７０８３号公報（２００８年７月１７日公開）
【発明の概要】
【発明が解決しようとする課題】
【０００６】
しかしながら、放送番組が画面に表示されている時であっても、ユーザは常に画面の前にいるとは限られない。例えば、ユーザは放送番組の視聴途中で画面の前から席をはずす場合もあれば、照明やバックミュージック代わりにするため放送受信機の電源を入れ、そもそも画面の前に落ち着かない場合もある。このため、特許文献１に開示された技術では、副画面にお好み番組が提示されたとしても、ユーザがその存在に気付かない場合がある。
【０００７】
また、特許文献１に開示された技術では、一旦、お好み番組が副画面に表示された後には、ユーザが選択等の操作をするまでその副画面が提示され続ける。このため、ユーザによる副画面の視認性は徐々に低下してしまう。
【０００８】
また、特許文献２に開示された技術では、チャンネル切り替えというユーザの操作をタイミングとしてお好み番組を表示している。このため、ユーザが画面に意識を向けていない状態では、ユーザにお好み番組が提示されることがない。
【０００９】
本発明は、上記課題に鑑みてなされたものであり、その目的は、視聴中の放送番組以外に存在する放送番組をユーザに気付かせやすく提示する放送番組表示装置を提供することにある。
【課題を解決するための手段】
【００１０】
本発明に係る放送番組表示装置は、上記の課題を解決するために、互いに異なる第１の放送番組および第２の放送番組を受信して表示する放送番組表示装置であって、上記第１の放送番組を、ディスプレイにおける第１の画面に表示する第１の表示手段と、上記ディスプレイの前方におけるユーザの存在を検知するセンサと、上記センサが上記ユーザの存在を検知した場合に、上記第１の画面に上記第１放送番組が表示された上記ディスプレイにおいて、当該第１の画面よりも小さい第２の画面に、上記第２の放送番組を表示する第２の表示手段とを備えていることを特徴としている。
【００１１】
上記構成では、例えばユーザがディスプレイの前方に近づいた時に、センサがユーザの存在を検知する。センサがユーザの存在を検知した場合、第２の表示手段は、第１の画面に第１の放送番組が表示されたディスプレイにおいて、第１の画面よりも小さい第２の画面に第２の放送番組を表示する。すなわち、ディスプレイには第１の放送番組と第２の放送番組とが親子表示される。
【００１２】
上記構成によれば、例えばユーザがディスプレイの前方に近づいたときをタイミングとして、第２の放送番組がユーザに提示される。したがって、本発明に係る放送番組表示装置は、ユーザが第２の放送番組を見逃さすことのないよう、第２の放送番組をユーザに気付かせやすく提示することができる。
【００１３】
また、本発明に係る放送番組表示装置において、上記第２の表示手段は、上記第２の放送番組を一定時間表示することが好ましい。
【００１４】
上記構成によれば、第２の放送番組の表示時間が経過した後、センサがユーザの存在を検知すれば、第２の放送番組は再び第２の画面に一定時間表示される。すなわち、ユーザがディスプレイに近づく度に第２の放送番組が第２の画面に表示される。これによって、第２画面に対するユーザの視認性が低下することを防ぐことができるため、第２の放送番組をユーザにより確実に喚起することができる。
【００１５】
また、上記構成によれば、第２の画面が存在し続けることに起因して、第１の画面に表示される第１の放送番組の視聴が過度に妨げられるといった事態を避けることができる。
【００１６】
また、本発明に係る放送番組表示装置は、ユーザの好みの番組に関するお好み番組情報の入力を受け付ける設定手段と、上記設定手段により受け付けられたお好み番組情報に基づいて、上記第２の放送番組を検索する検索手段とをさらに備え、上記第２の表示手段は、上記検索手段により検索された上記第２の放送番組を表示することが好ましい。
【００１７】
上記構成によれば、ユーザの好みに適したお好み番組をユーザに気付かせやすく提示することができる。
【００１８】
さらに、本発明に係る放送番組表示装置において、上記センサは、上記ディスプレイの前方におけるユーザの顔認識情報を検知する機能を有し、上記設定手段は、ユーザの顔認識情報と対応付けられた、当該ユーザの上記お好み番組情報の入力を受け付け、上記検索手段は、上記センサがユーザの顔認識情報を検知した場合に、上記センサによって検知された当該顔認識情報に対応する上記お好み番組情報に基づいて、上記第２の放送番組を検索することが好ましい。
【００１９】
上記構成によれば、ユーザが複数存在する場合であっても、センサが検知したユーザに対応するお好み番組を適宜表示することができる。
【００２０】
また、本発明に係る放送番組表示装置は、上記ディスプレイの電源が落とされた状態において、上記センサが上記ユーザの存在を検知した場合であって、かつ、当該センサによる検知時刻が上記検索手段により検索された上記第２の放送番組の放送時間帯にある場合に、上記ディスプレイの電源を入れる電源制御部をさらに備え、上記第２の表示手段は、上記センサが上記ユーザの存在を検知した場合であって、かつ、現在時刻が上記検索手段により検索された上記第２の放送番組の放送時間帯にある場合、上記電源制御部が上記ディスプレイの電源を入れた場合に、上記第２の放送番組を表示するとことが好ましい。
【００２１】
上記構成によれば、ディスプレイの電源が落とされた状態においても、第２の放送番組をユーザに対して確実に喚起することができる。また、必要以外の部材の起動を抑えたまま、第２の放送番組をユーザに提示することができるため、放送番組表示装置に必要な消費電力を節約することができる。
【００２２】
また、本発明に係る放送番組表示装置において、上記センサは、上記ディスプレイの前方におけるユーザの、当該ディスプレイに対する位置を検出するユーザ位置検出機能をさらに有し、上記第２の表示手段は、上記センサによって検出されたユーザ位置に基づいて、上記ディスプレイにおける上記第２の画面の位置および大きさを決定する、画面形態決定手段を備えることが好ましい。
【００２３】
上記構成によれば、ディスプレイにおいてユーザがより気付きやすい位置および大きさの第２の画面に、第２の放送番組を表示することができる。
【００２４】
本発明に係る放送番組表示装置の制御方法は、上記した課題を解決するために、互いに異なる第１の放送番組および第２の放送番組を受信して表示する放送番組表示装置の制御方法であって、上記第１の放送番組を、ディスプレイにおける第１の画面に表示する第１の表示工程と、上記ディスプレイの前方におけるユーザの存在を検知する検知工程と、上記検知工程において上記ユーザの存在が検知された場合に、上記第１の画面に上記第１放送番組が表示されている上記ディスプレイにおける、上記第１の画面よりも小さい第２の画面に、上記第２の放送番組を表示する第２の表示工程とを備えていることを特徴とする。
【００２５】
上記方法によれば、ユーザが第２の放送番組を見逃さすことのないよう、第２の放送番組をユーザに気付かせやすく提示することができる。
【発明の効果】
【００２６】
本発明に係る放送番組表示装置は、互いに異なる第１の放送番組および第２の放送番組を受信して表示する放送番組表示装置であって、上記第１の放送番組を、ディスプレイにおける第１の画面に表示する第１の表示手段と、上記ディスプレイの前方におけるユーザの存在を検知するセンサと、上記センサが上記ユーザの存在を検知した場合に、上記第１の画面に上記第１放送番組が表示された上記ディスプレイにおいて、当該第１の画面よりも小さい第２の画面に、上記第２の放送番組を表示する第２の表示手段とを備えているため、第２の放送番組をユーザに気付かせやすく提示することができる。
【図面の簡単な説明】
【００２７】
【図１】本発明の一実施形態に係る放送受信機の要部構成を示すブロック図である。
【図２】上記放送受信機を示す概略図である。
【図３】上記放送受信機において第２番組を表示する処理の流れの一例を示すフローチャートである。
【図４】上記放送受信機において第２番組を表示する処理の流れの他の一例を示すフローチャートである。
【図５】上記放送受信機において第２番組を表示する処理の流れの他の一例を示すフローチャートである。
【図６】上記放送受信機において第２番組を表示する処理の流れのさらに他の一例を示すフローチャートである。
【図７】上記放送受信機において第２番組を表示する処理の流れのさらに他の一例を示すフローチャートである。
【発明を実施するための形態】
【００２８】
本発明に係る一実施形態について図１から図７に基づいて説明すると以下の通りである。
【００２９】
（放送受信機１００の構成）
本実施の形態に係る放送受信機１００は、互いに異なる第１の放送番組（以下、第１番組という）および第２の放送番組（以下、第２番組という）を受信して表示する放送番組表示装置である。まず、本実施の形態に係る放送受信機１００について、図１および２を参照して説明する。図１は本実施形態に係る放送受信機１００の要部構成を示すブロック図である。図２は放送受信機１００を示す概略図である。
【００３０】
図１に示すように、放送受信機１００は、親画面処理部２、子画面処理部３、合成処理部４、ディスプレイ５、選局部６、センサ７、制御部８、操作装置９、設定処理部（設定手段）１０、ＯＳＤ表示処理部１１、番組抽出部（検索手段）１２、電源制御部（電源制御手段）１３、番組情報格納部１４、第２番組情報格納部１５、設定情報格納部１６、および検知情報格納部１７を備えている。なお、ディスプレイ５、センサ７、および操作装置９は、放送受信機１００と一体的に構成されていてもよいが、それぞれ放送受信機１００とは別体の装置として構成されてもよい。また、親画面処理部２および子画面処理部３は、デジタル放送信号を受信可能なアンテナ１にそれぞれ接続されている。
【００３１】
親画面処理部２は、アンテナ１から受信した放送信号を処理してディスプレイ５に番組を表示するものであり、第１の表示手段を構成する。具体的には、親画面処理部２は、デジタルチューナ部２１、デジタル復調部２２、分離部（デマルチプレクサ）２３、および、ビデオデコード部２４を備える。
【００３２】
デジタルチューナ部２１は、アンテナ１を介して受信する番組を選局するものであり、例えばユーザが任意に選択する第１番組を選局する。
【００３３】
デジタル復調部２２は、選局された第１番組の放送信号を復調するものである。デジタル復調部２２は、デジタルチューナ部２１から入力された放送信号を復調して得られたデータを分離部２３に出力する。
【００３４】
分離部２３は、デジタル復調部２２から入力された、多重化された信号を、映像信号や音声信号等にそれぞれ分離するものである。
【００３５】
ビデオデコード部２４は、分離部２３によって分離された映像信号をデコードするものである。ビデオデコード部２４は、デコードした映像信号を合成処理部４に出力する。
【００３６】
一方、子画面処理部３は、アンテナ１から第２番組を受信してディスプレイ５に表示させるための処理を行なう。具体的には、子画面処理部３は、デジタルチューナ部３１、デジタル復調部３２、分離部（デマルチプレクサ）３３、ビデオデコード部３４、およびスケーリング処理部（画面形態決定手段）３５を備える。
【００３７】
デジタルチューナ部３１は、アンテナ１を介して受信する番組を選局するものであり、選局部６によって指示された番組を第２番組として選局する。
【００３８】
デジタル復調部３２は、選局された第２番組の放送信号を復調するものである。デジタル復調部３２は、デジタルチューナ部３１から入力された放送信号を復調して得られたデータを分離部３３に出力する。
【００３９】
分離部３３は、デジタル復調部３２から入力された、多重化された信号を、映像信号、音声信号、および番組情報等にそれぞれ分離するものである。なお、分離部３３によって分離された番組情報は、番組情報格納部１４に格納される。
【００４０】
ビデオデコード部３４は、分離部３３によって分離された映像信号をデコードするものであり、デコードした映像信号をスケーリング処理部３５に出力する。
【００４１】
スケーリング処理部３５は、ビデオデコード部３４のデコードした映像信号をスケーリング処理するものである。スケーリング処理部３５は、処理した第２番組の映像信号を合成処理部４に出力する。
【００４２】
合成処理部４は、入力された映像信号に基づいて複数の映像を合成し、ディスプレイ５に出力するものである。具体的には、親画面処理部２および子画面処理部３から入力された映像信号に基づいて、第１番組と第２番組とを合成し、ディスプレイ５に出力する。これによって、ディスプレイ５では、第１番組が第１画面（親画面）に表示され、第２番組が、第１の画面よりも小さい第２画面（子画面）に表示される。すなわち、第１番組および第２番組は親子画面表示される。また、場合によっては第１番組を子画面に、第２番組を親画面とした画面構成や、両方を子画面にする２画面を構成してもよい。
【００４３】
ディスプレイ５は、図示しないスピーカを備えており、音声出力機能を有する。但し、本発明において、音声処理は特に重要ではないため、説明を省略する。
【００４４】
選局部６は、子画面処理部３（具体的にはデジタルチューナ部３１）に対して、選局すべき第２番組を指示するものであり、例えば、番組抽出部１２により検索された番組を第２番組として指示する。
【００４５】
なお、子画面処理部３、合成処理部４、および選局部６は、第２番組を表示するための第２の表示手段を構成する。
【００４６】
センサ７は、ユーザの存在を検知する人感センサであり、図２に示すように、ディスプレイ５の前方におけるユーザの存在を検知する。センサ７は、例えばユーザがディスプレイ５の前方に近づいた場合や、ユーザがディスプレイ５の前方で大きな動作をした場合などに、ユーザの存在を検知する。センサ７としては、焦電型赤外線センサなどを用いることができる。
【００４７】
なお、後述にて詳細に説明するが、センサ７は、ユーザの顔認識情報を認識する顔認識機能を備えてもよいし、ディスプレイ５に対するユーザ位置を検出するユーザ位置検出機能を備えてもよい。
【００４８】
制御部８は、センサ７がユーザの存在を検知したか否かを判定し、判定結果に基づく各部材の制御を行なうものである。
【００４９】
操作装置９は、例えばリモコンやキーボードなどの入力手段を有する。ユーザは操作装置９を操作して、ユーザの好みの番組に関するお好み番組情報などを設定することができる。
【００５０】
設定処理部１０は、ユーザが操作装置９を操作して入力したお好み番組情報を受け付けて設定する。入力されたお好み番組情報は、設定情報格納部１６に格納されてもよい。お好み番組情報としては、例えば、番組のジャンル、キーワード、放送チャンネル、放送時間帯、放送曜日などを利用することができる。
【００５１】
ＯＳＤ表示処理部１１は、例えばユーザがお好み番組情報を設定するための設定メニュー等を作成し、合成処理部４に出力する。
【００５２】
番組抽出部１２は、番組情報格納部１４から第２番組を検索し、当該第２番組の情報を抽出する。第２番組は、第１番組と異なる番組であればよいが、設定処理部１０によって設定されたお好み番組情報に合致するものであることが好ましい。
【００５３】
電源制御部１３は、放送受信機１００の電源をＯＦＦ状態からＯＮ状態へ切り替える制御を行なうものである。
【００５４】
なお、制御部８、設定処理部１０、ＯＳＤ表示処理部１１、番組抽出部１２、および電源制御部１３などについては、例えばＣＰＵを用いて構成することができる。また、番組情報格納部１４、第２番組情報格納部１５、設定情報格納部１６、および検知情報格納部１７などの記憶領域については、例えばフラッシュメモリを用いて実現することができる。
【００５５】
＜放送受信機１００における処理の一例＞
放送受信機１００における第２番組を表示する処理の一例について、図３を参照して以下に説明する。図３は、放送受信機１００において第２番組を表示するまでの処理の流れを示すフローチャートである。
【００５６】
まず、ユーザは、操作装置９を操作して、お好み番組情報を入力する。設定処理部１０は、入力されたお好み番組情報を受け付け、番組抽出部１２に出力する（ステップＳ１１）。
【００５７】
番組抽出部１２は、入力されたお好み番組情報に応じて、当該情報の条件に合致するお好み番組を第２番組として番組情報格納部１４から検索する（ステップＳ１２）。このとき、番組抽出部１２は、検索した第２番組に関する情報を番組情報格納部１４から抽出する。この第２番組に関する情報には、例えば、第２番組を選局するために必要な情報が含まれる。
【００５８】
以上の工程後、放送受信機１００では、親画面処理部２が、ユーザにより選択された第１番組をディスプレイ５に表示しているとする。なお、現段階では、ディスプレイ５に第２番組は表示されていない。
【００５９】
第１番組が表示されている間、センサ７は、ディスプレイ５の前方にユーザの存在を検知する動作を続ける。制御部８は、センサ７がユーザの存在を検知したか否かを判定する（ステップＳ１３）。
【００６０】
センサ７がユーザを検知したと判定した場合、制御部８は、番組抽出部１２に第２番組に関する情報を要求する。この要求に応じて、番組抽出部１２は抽出した第２番組に関する情報を制御部８に出力する。制御部８は入力された第２番組に関する情報を選局部６に出力する。選局部６は、入力された第２番組に関する情報に応じて、子画面処理部３に対して第２番組の選局を指示する。子画面処理部３は、選局部６の指示に応じて第２番組を選局し、受信した映像信号を処理して合成処理部４に出力する（ステップＳ１４）。
【００６１】
合成処理部４は、親画面処理部２および子画面処理部３から入力された映像信号に基づいて、第１番組に対して第２番組を合成し、ディスプレイ５に出力する。したがって、ディスプレイ５では、第１番組が親画面に表示され、第２番組が子画面に表示される（ステップＳ１５）。
【００６２】
以上のように、放送受信機１００は、第１番組が表示されているとき、ディスプレイ５の前方においてユーザの存在を検知した場合に、お好み番組を第２番組として子画面表示する。したがって、ユーザがお好み番組を見逃さすことのないよう、お好み番組をユーザに気付かせやすく提示することができる。
【００６３】
なお、子画面に第２番組が表示されている間、例えばユーザが操作装置９を用いて第２番組を決定する操作を行なうことによって、放送受信機１００は第２番組を子画面から全画面に切り替えて表示してもよい。
【００６４】
（第２番組の変形例）
なお、ステップＳ１２において、番組抽出部１２が検索する第２番組は、お好み番組であることに限られない。例えば、登録されたお好み番組情報に合致する番組が存在しない場合、番組抽出部１２は、ディスプレイが表示している第１番組とは異なる放送番組を第２番組として任意に抽出してもよい。
【００６５】
（第２番組の表示時間）
第２番組がディスプレイ５の子画面に表示される時間は、一定時間であることが好ましい。例えば、放送受信機１００には図示しないタイマが設けられ、ステップＳ１３において、センサ７が人の存在を検知した時点から一定時間（例えば１５秒間）のみ、選局部６および子画面処理部３が第２番組を選局および処理するように構成してもよい。第２番組の表示時間は任意に設定可能であってもよい。これによって、第１番組の視聴を過度に妨げることなく、第２番組をユーザに喚起することができる。
【００６６】
また、ステップＳ１２において、番組抽出部１２がお好み番組情報に合致する番組を複数検索した場合には、ステップＳ１４において、選局部６は、第２番組として複数の番組を一定時間ごとに切り替えて選局させてもよい。
【００６７】
また、センサ７がユーザの存在を検知した後、センサ７がディスプレイ５の前方におけるユーザの存在を検知し続ける場合（ユーザがディスプレイ５の前方に居続ける場合）、第２番組を子画面に一定時間表示した後においても、再び第２番組を子画面に一定時間表示してもよい。例えば、親画面においてそれまで表示していた第１番組とは異なる番組が開始したとき、第１番組放送中のＣＭ明けを検知したとき、あるいは、任意に設定した一定時間（例えば３０秒）が経過したときに、第２番組を子画面に一定時間表示してもよい。
【００６８】
（第２番組の表示形態の決定）
センサ７は、ディスプレイ５の前方におけるユーザの存在を検知するだけでなく、ディスプレイ５に対するユーザの位置を検出するユーザ位置検出機能を備えていてもよい。さらに、子画面処理部３におけるスケーリング処理部３５は、センサ７の検出したユーザ位置に対応するように、第２番組の表示される子画面の位置や大きさなどを調節してもよい。
【００６９】
具体的には、ステップＳ１３において、ユーザを検知したと判定した場合、制御部８は、センサ７により検出されたユーザ位置情報を取得する。さらに制御部８は、取得したユーザ位置情報を選局部６に出力する。選局部６は、子画面処理部３に対し、第２番組の選局を指示すると共に、入力されたユーザ位置情報に応じた第２番組の表示される子画面の位置や大きさを指示する。子画面処理部３では、スケーリング処理部３５が、選局部６の指示に応じて、第２番組の表示される子画面の表示形態（位置および大きさ）を調節し、その映像情報を合成処理部４に出力する。
【００７０】
例えば、ユーザがディスプレイ５の左側にいる場合、第２番組の表示される子画面はディスプレイ５における左側に配置されることが好ましい。ユーザがディスプレイ５の右側にいる場合、第２番組の表示される子画面は、ディスプレイ５における右側に配置されることが好ましい。また、ユーザがディスプレイ５から一定の範囲内にいる場合、第２番組の表示される子画面が小さな範囲に提示され、一方、ユーザがディスプレイ５から一定の範囲外にいる場合、第２番組の表示される子画面が大きな範囲に提示されることが好ましい。
【００７１】
なお、ディスプレイ５から一定の範囲とはユーザが任意に設定してもよく、ディスプレイ５の子画面に表示される第２番組をユーザが認識できるように、ユーザ位置と、第２番組が表示される子画面の大きさとを関連付けることが好ましい。
【００７２】
また、ユーザ位置を検出可能なセンサ７は、焦電型赤外線センサを利用して構成することができる。
【００７３】
以上のように、放送受信機１００は、ディスプレイ５の前方におけるユーザ位置を検知したとき、第２番組の表示される子画面の形態が、ディスプレイ５においてユーザ位置に対応するように、その位置と大きさとを調節する。これによって、放送受信機１００は、ユーザがより気付きやすいように、お好み番組を提示することができる。
【００７４】
＜放送受信機１００における処理の他の一例：電源起動処理＞
放送受信機１００は、ディスプレイ５に第１番組が表示されているときだけでなく、放送受信機１００の電源がＯＦＦにされている状態のときにおいて、第２番組を表示する処理を行ってもよい。
【００７５】
ここで、放送受信機１００の電源がＯＦＦにされている状態のときに第２番組を表示する処理の一例について、図４および図５を参照して以下に説明する。図４および図５は、放送受信機１００において第２番組を表示する処理の流れを示すフローチャートである。
【００７６】
まず、図４を参照して電源ＯＦＦまでの処理を説明する。図４に示すように、ユーザは、操作装置９を操作して、お好み番組情報を入力する。設定処理部１０は、入力されたお好み番組情報を受け付け、番組抽出部１２に出力する（ステップＳ２１）。
【００７７】
番組抽出部１２は、入力されたお好み番組情報に応じて、当該情報の条件に合致するお好み番組を第２番組として番組情報格納部１４から検索する（ステップＳ２２）。このとき、番組抽出部１２は、検索した第２番組に関する情報を番組情報格納部１４から抽出する。この第２番組に関する情報には、第２番組を選局するための情報、および、第２番組の放送時間情報などが含まれる。
【００７８】
以上の工程後、ユーザが放送受信機１００の電源をＯＦＦにする操作を行なうとする。電源ＯＦＦ操作があったとき、番組抽出部１２は、抽出した第２番組に関する情報を第２番組情報格納部１５に出力する。第２番組情報格納部１５は、入力された第２番組に関する情報を自ら記憶する（ステップＳ２３）。その後、放送受信機１００の電源がＯＦＦ状態になる（ステップＳ２４）。
【００７９】
なお、本明細書において電源ＯＦＦの状態とは、放送受信機１００のディスプレイ５が稼動しないように電源が切られた状態ではあるが、一部の部材（図１中のブロック４０）
が起動しているように、待機電流が発生している状態を意味するものとする。
【００８０】
以上の工程により放送受信機１００を自動起動のための準備が整う。
【００８１】
次に、図５を参照して放送受信機１００を自動起動するまでの処理を説明する。図５に示すように、放送受信機１００の電源がＯＦＦ状態である間、センサ７は、ディスプレイ５の前方にユーザの存在を検知する動作を続ける。制御部８は、センサ７がユーザの存在を検知したか否かを判定する（ステップＳ３１）。
【００８２】
センサ７がユーザを検知したと判定した場合、制御部８は、第２番組情報格納部１５に記憶された第２番組に関する情報を参照し、現在の時刻が第２番組の放送時間帯にあるか否か、すなわち現時点において放送中の第２番組が存在するか否かを判定する（ステップＳ３２）。
【００８３】
放送中の第２番組が存在しないと判定された場合、放送受信機１００は電源をＯＦＦ状態にしたまま待機し（ステップＳ３３）、ステップＳ３１に戻る。
【００８４】
放送中の第２番組が存在すると判定された場合、制御部８は判定結果を電源制御部１３に通知し、これに応じて電源制御部１３は、放送受信機１００の電源がＯＮ状態になるように電源（図示しない）を制御する。また、制御部８は、番組抽出部１２に第２番組に関する情報を要求する。この要求に応じて、番組抽出部１２は抽出した第２番組に関する情報を制御部８に出力する。制御部８は、入力された第２番組に関する情報を選局部６に出力する。選局部６は、入力された第２番組に関する情報に応じて、子画面処理部３に対して第２番組の選局を指示する。子画面処理部３は、選局部６の指示に応じて第２番組を受信し、また受信した映像信号を処理して合成処理部４に出力する（ステップＳ３４）。
【００８５】
合成処理部４は、親画面処理部２および子画面処理部３から入力された映像信号に基づいて、第１番組に対して第２番組を合成し、ディスプレイ５に出力する。したがって、ディスプレイ５では、第１番組が親画面に表示され、第２番組が子場面に表示される（ステップＳ３５）。また、第２番組情報格納部１５を持たず、人を検知した時に内部的に起動し（映像は出力せず、見た目にはＯＦＦ状態とする）、第２番組に関する情報を抽出してもよい。
【００８６】
以上のように、放送受信機１００は、電源ＯＦＦ状態のときであるとき、ディスプレイ５の前方においてユーザの存在を検知した場合であって、かつ、第２番組が放送中である場合、電源をＯＮにし、お好みの番組を第２番組として子画面表示する。したがって、放送受信機１００の電源がＯＦＦであっても、ユーザが第２番組を見逃さすことのないよう、第２番組をユーザに気付かせやすく提示することができる。また、必要以外の部材の起動を抑えたまま、お好み番組の存在をユーザに対して喚起することができるため、放送受信機１００に必要な消費電力を節約することができる。このとき、お好み番組を親画面（全画面）表示しても良い。
【００８７】
＜放送受信機１００における処理の他の一例：顔情報認識センサの利用＞
センサ７は、ディスプレイ５の前方におけるユーザの存在を検知するだけでなく、ユーザの顔認識情報を検出する顔認識機能を備えていてもよい。なお、ユーザの顔情報を認識可能なセンサ７としては、特に限定されず、例えばＣＣＤカメラなどを用いることができる。
【００８８】
ここで、ユーザの顔情報を認識可能なセンサ７を利用して第２番組を表示する処理の一例について、図６および図７を参照して以下に説明する。図６および図７は、放送受信機１００において第２番組が表示されるまでの処理の流れを示すフローチャートである。
【００８９】
まず、図６を参照してお好み番組の設定するまでの処理を説明する。図６に示すように、予め、センサ７がユーザの顔写真を撮影し、センサ７により撮影された顔写真の情報を検知情報格納部１７に出力する。検知情報格納部１７は、入力された顔写真の情報を自らに記憶する（ステップＳ４１）。検知情報格納部１７に格納される情報としては、単なる画像情報ではなく、撮影した顔写真から抽出した、顔認識に必要な判定パラメータ情報となるが、本発明において、顔認識に関する技術については重要でないので、説明を省略する。
【００９０】
次いで、ユーザは操作装置９を操作して、お好み番組情報を入力する。このとき、ユーザは、検知情報格納部１７に登録されたユーザの顔写真の情報に対して、当該ユーザの好みの番組に関するお好み番組情報を対応付けて入力する。設定処理部１０は、入力されたお好み番組情報を受け付け、設定情報格納部１６に出力する。設定情報格納部１６は、入力されたお好み番組情報を自らに記憶する（ステップＳ４２）。
【００９１】
以上のステップにより、お好み番組の設定が行なわれる。
【００９２】
次に、図７を参照して、お好み番組の設定後、放送受信機１００において第２番組が表示されるまでの処理を説明する。お好み番組の設定後、放送受信機１００では、親画面処理部２が、ユーザにより適宜選択された第１番組を受信して処理し、ディスプレイ５に第１番組を表示しているとする。
【００９３】
第１番組が表示されている間、センサ７は、ディスプレイ５の前方におけるユーザの存在を検知し、そのユーザの顔認識情報を取得する。制御部８は、センサ７がユーザの顔認識情報を取得したか否かを判定する（ステップＳ５１）。
【００９４】
センサ７がユーザの顔認識情報を取得したと判定した場合、制御部８は、センサ７により取得された顔認識情報が、検知情報格納部１７に格納された顔写真の情報のいずれかと一致するか否かをさらに判定する（ステップＳ５２）。
【００９５】
一致すると判定した場合、制御部８は、一致した顔写真の情報と共に、第２番組に関する情報の要求を番組抽出部１２に送信する。この要求に応じて、番組抽出部１２は、一致した顔写真の情報に対応するお好み番組情報を設定情報格納部１６から参照し、当該お好み番組情報の条件に合致するお好み番組を第２番組として番組情報格納部１４から検索する（ステップＳ５３）。このとき、番組抽出部１２は、検索した第２番組に関する情報を番組情報格納部１４から抽出する。この第２番組に関する情報には、第２番組を選局するための情報等が含まれる。
【００９６】
次いで、番組抽出部１２は第２番組に関する情報を制御部８に出力する。制御部８は入力された第２番組に関する情報を選局部６に出力する。選局部６は、入力された第２番組に関する情報に応じて、子画面処理部３に対して第２番組の選局を指示する。子画面処理部３は、選局部６の指示に応じて第２番組を受信し、また受信した映像信号を処理して合成処理部４に出力する（ステップＳ５４）
合成処理部４は、親画面処理部２および子画面処理部３から入力された映像信号に基づいて、第１番組に対して第２番組を合成し、ディスプレイ５に出力する。したがって、ディスプレイ５では、第１番組が親画面に表示され、第２番組が子場面に表示される（ステップＳ５５）。
【００９７】
以上のように、放送受信機１００は、センサ７がディスプレイ５の前方におけるユーザの顔を認識した場合、当該ユーザのお好み番組情報が登録されていれば、そのユーザのお好み番組を第２番組として子画面表示する。したがって、放送受信機１００を利用するユーザが複数いる場合であっても、放送受信機１００に近づいたユーザを区別し、そのユーザの嗜好に適したお好み番組を、ユーザに気付かせやすく提示することができる。例えば、放送受信機１００が一般家庭に設置される場合、子供に対して教育番組等の子供向け番組を提示したり、親に対してニュース等の大人向けの番組を提示したりすることができる。
【００９８】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９９】
最後に、放送受信機１００に含まれている各ブロックは、ハードウェアロジックによって構成してもよい。または、次のように、ＣＰＵを用いてソフトウェアによって実現してもよい。
【０１００】
すなわち、放送受信機１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである放送受信機１００の制御プログラムのプログラムコード（実行形式プログラム、中間コードプログラム、ソースプログラム）をコンピュータで読み取り可能に記録した記録媒体を、前記放送受信機１００に供給し、そのコンピュータ（またはＣＰＵやＭＰＵ）が記録媒体に記録されているプログラムコードを読み出し実行することによっても、達成可能である。
【０１０１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０２】
また、放送受信機１００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０３】
本発明は、デジタル放送を受信して番組を表示する放送受信機として好適に利用することができる。
【符号の説明】
【０１０４】
２  親画面処理部（第１の表示手段）
３  子画面処理部（第２の表示手段）
４  合成処理部（第２の表示手段）
５  ディスプレイ
６  選局部（第２の表示手段）
７  センサ
１０  設定処理部（設定手段）
１２  番組抽出部（検索手段）
１３  電源制御部（電源制御手段）
３５  スケーリング処理部（画面形態決定手段）
１００  放送受信機
【図１】
2011109626.tif 000003
【図２】
2011109626.tif 000004
【図３】
2011109626.tif 000005
【図４】
2011109626.tif 000006
【図５】
2011109626.tif 000007
【図６】
2011109626.tif 000008
【図７】
2011109626.tif 000009